【手続補正書】
【提出日】平成21年8月5日(2009.8.5)
【手続補正１】
【補正対象書類名】特許請求の範囲
【補正対象項目名】全文
【補正方法】変更
【補正の内容】
【特許請求の範囲】
【請求項１】
像担持体に形成されたトナー像を転写位置にて記録材に転写する転写部と、
前記転写部に転写電圧を印加する転写電圧印加部と、
前記転写部に流れる転写電流を検知する転写電流検知部と、
記録材に転写された前記トナー像を予め設定された設定温度で定着位置にて加熱することにより該記録材に定着させる定着部と、
記録材のサイズを検知するサイズ検知部と、
記録材が前記転写位置を通過する際に、前記転写電流検知部が検知する前記転写電流が一定電流となるように、前記転写電圧の値を制御する転写電圧制御部とを備え、
前記転写電圧の値が閾値以下であり、かつ、記録材のサイズが予め設定されたサイズ以上である場合、前記定着部において前記予め設定された設定温度より低い設定温度に設定して、記録材に転写された前記トナー像を該記録材に定着することを特徴とする画像形成装置。
【請求項２】
前記転写電圧制御部は、記録材搬送方向における前記記録材の先端が前記定着位置に到達する前に、前記転写電圧印加部から前記転写電圧を前記転写部に印加するように制御することを特徴とする請求項１に記載の画像形成装置。
【請求項３】
前記転写電圧制御部は、記録材搬送方向における前記記録材の先端が前記転写位置に到達してから所定時間が経過するまでは、前記転写電圧印加部から一定値の転写電圧を前記転写部に印加するように制御することを特徴とする請求項１または２に記載の画像形成装置。
【請求項４】
前記転写電圧制御部は、前記記録材が前記転写位置を通過する前に、前記転写電流検知部が検知する前記転写電流が第１の一定電流となるように、前記転写電圧印加部から第１の値の転写電圧を前記転写部に印加し、及び、前記記録材が前記転写位置を通過する際に、前記転写電流検知部が検知する前記転写電流が第２の一定電流となるように、前記転写電圧印加部から第２の値の転写電圧を前記転写部に印加するように制御し、並びに、
前記第１の値が第１の閾値以下であり、前記第２の値が第２の閾値以下であり、かつ前記記録材のサイズが前記予め設定されたサイズ以上である場合、前記定着部において前記予め設定された設定温度より低い設定温度に設定して、記録材に転写された前記トナー像を該記記録材に定着することを特徴とする請求項１、２または３に記載の画像形成装置。
【請求項５】
画像形成終了時に前記定着部が設定した設定温度を記憶する記憶部と、
前記画像形成終了時からの経過時間を検知する経過時間検知部とをさらに備え、
画像形成を開始する際に前記経過時間検知部が検知する前記経過時間が一定時間以内である場合、前記定着部において前記記憶部に記憶された設定温度に設定して、記録材に転写された前記トナー像を該記録材に定着することを特徴とする請求項１ないし４のいずれかに記載の画像形成装置。
【請求項６】
前記転写電圧の値が前記閾値以下であり、かつ、記録材のサイズが予め設定されたサイズ以上である場合、前記サイズ検知部によりサイズが検知された前記記録材に引き続き搬送される記録材に対して、前記定着部において前記予め設定された設定温度より低い設定温度に設定して、該記録材に転写された前記トナー像を該記録材に定着することを特徴とする請求項１ないし５のいずれかに記載の画像形成装置。
【請求項７】
前記サイズ検知部は、記録材搬送方向における記録材の先端および後端を検知することにより該方向における記録材の長さを検知することを特徴とする請求項１ないし６のいずれかに記載の画像形成装置。
【請求項８】
前記サイズ検知部は、記録材搬送方向に直交する方向における記録材の幅を検知することを特徴とする請求項７に記載の画像形成装置。
【請求項９】
像担持体に形成されたトナー像を転写位置にて記録材に転写する転写部と、
前記転写部に転写電圧を印加する転写電圧印加部と、
前記転写部に流れる転写電流を検知する転写電流検知部と、
記録材に転写された前記トナー像を予め設定された設定温度で定着位置にて加熱することにより該記録材に定着させる定着部と、
記録材のサイズを検知するサイズ検知部と、
外部装置から本請求項に係る画像形成装置に送信される画像データを受信する受信部と、
記録材が前記転写位置を通過する際に、前記転写電流検知部が検知する前記転写電流が一定電流となるように、前記転写電圧の値を制御する転写電圧制御部とを備え、
前記転写電圧の値が前記サイズ検知部で検知した記録材のサイズ及び前記受信部で受信した画像データの印字率に基づく閾値以下であった場合、前記定着部において前記予め設定された設定温度より低い設定温度に設定して、記録材に転写された前記トナー像を該記録材に定着することを特徴とする画像形成装置。
【請求項１０】
前記転写電圧制御部は、記録材搬送方向における前記記録材の先端が前記定着位置に到達する前に、前記転写電圧印加部から前記転写電圧を前記転写部に印加するように制御することを特徴とする請求項９に記載の画像形成装置。
【請求項１１】
前記転写電圧制御部は、記録材搬送方向における前記記録材の先端が前記転写位置に到達してから所定時間が経過するまでは、前記転写電圧印加部から一定値の転写電圧を前記転写部に印加するように制御することを特徴とする請求項９または１０に記載の画像形成装置。
【請求項１２】
前記転写電圧制御部は、前記記録材が前記転写位置を通過する前に前記転写電流検知部が検知する前記転写電流が第１の一定電流となるように、前記転写電圧印加部から第１の値の転写電圧を前記転写部に印加し、及び、前記記録材が前記転写位置を通過する際に前記転写電流検知部が検知する前記転写電流が第２の一定電流となるように、前記転写電圧印加部から第２の値の転写電圧を前記転写部に印加するように制御し、並びに、
前記第１の値が第１の閾値以下であり、かつ前記第２の値が前記検知した記録材のサイズ及び前記画像データの印字率に基づく第２の閾値以下である場合、前記定着部において前記予め設定された設定温度より低い設定温度に設定して、記録材に転写されたトナー像を該記録材に定着することを特徴とする請求項９、１０または１１に記載の画像形成装置。
【請求項１３】
画像形成終了時に前記定着部が設定した設定温度を記憶する記憶部と、
画像形成終了時からの経過時間を検知する経過時間検知部とをさらに備え、
画像形成を開始する際に前記経過時間検知部が検知する前記経過時間が一定時間以内である場合、前記定着部において前記記憶部に記憶された設定温度に設定して、記録材に転写されたトナー像を該記録材に定着することを特徴とする請求項９ないし１２のいずれかに記載の画像形成装置。
【請求項１４】
前記転写電圧の値が前記閾値以下であった場合、前記サイズ検知部によりサイズが検知された前記記録材に引き続き搬送される記録材に対して、前記定着部において前記予め設定された設定温度より低い設定温度に設定して、該記録材に転写されたトナー像を該記録材に定着することを特徴とする請求項９ないし１３のいずれかに記載の画像形成装置。
【請求項１５】
像担持体に形成されたトナー像を転写位置にて記録材に転写する転写部と、
前記転写部に転写電圧を印加する転写電圧印加部と、
前記転写部に流れる転写電流を検知する転写電流検知部と、
記録材に転写された前記トナー像を予め設定された設定温度で定着位置にて加熱することにより該記録材に定着させる定着部と、
記録材のサイズを検知するサイズ検知部と、
外部装置から本請求項に係る画像形成装置に送信される画像データを受信する受信部と、
記録材が前記転写位置を通過する際に、前記転写電流検知部が検知する前記転写電流が一定電流となるように、前記転写電圧の値を制御する転写電圧制御部とを備え、
前記転写電圧の値が前記サイズ検知部で検知した記録材のサイズ及び前記受信部で受信した画像データの印字率に基づく閾値以上であった場合、前記定着部において前記予め設定された設定温度より高い設定温度に設定して、記録材に転写されたトナー像を該記録材に定着することを特徴とする画像形成装置。
【請求項１６】
前記転写電圧制御部は、記録材搬送方向における前記記録材の先端が前記定着位置に到達する前に、前記転写電圧印加部から前記転写電圧を前記転写部に印加するように制御することを特徴とする請求項１５に記載の画像形成装置。
【請求項１７】
前記転写電圧制御部は、記録材搬送方向における前記記録材の先端が前記転写位置に到達してから所定時間が経過するまでは、前記転写電圧印加部から一定の転写電圧を前記転写部に印加するように制御することを特徴とする請求項１５または１６に記載の画像形成装置。
【請求項１８】
前記転写電圧制御部は、前記記録材が前記転写位置を通過する前に前記転写電流検知部が検知する前記転写電流が第１の一定電流となるように、前記転写電圧印加部から第１の値の転写電圧を前記転写部に印加し、及び、前記記録材が前記転写位置を通過する際に前記転写電流検知部が検知する前記転写電流が第２の一定電流となるように、前記転写電圧印加部から第２の値の転写電圧を前記転写部に印加するように制御し、並びに、
前記第１の値が第１の閾値以上であり、かつ前記第２の値が前記検知した記録材のサイズ及び前記画像データの印字率に基づく第２の閾値以上である場合、前記定着部において前記予め設定された設定温度より高い設定温度に設定して、記録材に転写されたトナー像を該記録材に定着することを特徴とする請求項１５、１６または１７に記載の画像形成装置。
【請求項１９】
画像形成終了時に前記定着部が設定した設定温度を記憶する記憶部と、
画像形成終了時からの経過時間を検知する経過時間検知部とをさらに備え、
画像形成を開始する際に前記経過時間検知部が検知する前記経過時間が一定時間以内である場合、前記定着部において前記記憶部に記憶された設定温度に設定して、記録材に転写されたトナー像を該記録材に定着すせることを特徴とする請求項１５ないし１８のいずれかに記載の画像形成装置。
【請求項２０】
前記転写電圧の値が前記閾値以上であった場合、前記サイズ検知部によりサイズが検知された前記記録材に引き続き搬送される記録材に対して、前記定着部において前記予め設定された設定温度より高い設定温度に設定して、該記録材に転写されたトナー像を記録材に定着することを特徴とする請求項１５ないし１９のいずれかに記載の画像形成装置。
【請求項２１】
像担持体に形成されたトナー像を転写位置にて記録材に転写する転写部と、
前記転写部に転写電圧を印加する転写電圧印加部と、
前記転写部に流れる転写電流を検知する転写電流検知部と、
記録材に転写された前記トナー像を予め設定された設定温度で定着位置にて加熱することにより該記録材に定着させる定着部と、
記録材のサイズを検知するサイズ検知部とを備え、
前記転写電流検知部は、前記記録材が前記転写位置を通過する際に前記転写電圧印加部が一定値の転写電圧を印加したときの転写電流の値を検知し、
前記転写電流検知部によって検知された前記転写電流の値が閾値以上であり、かつ前記記録材のサイズが予め設定されたサイズ以上である場合、前記定着部において前記予め設定された設定温度より低い設定温度に設定して、該記録材に転写されたトナー像を該記録材に定着することを特徴とする画像形成装置。
【請求項２２】
像担持体に形成されたトナー像を転写位置にて記録材に転写する転写部と、
前記転写部に転写電圧を印加する転写電圧印加部と、
前記転写部に流れる転写電流を検知する転写電流検知部と、
記録材に転写された前記トナー像を予め設定された設定温度で定着位置にて加熱することにより該記録材に定着させる定着部と、
記録材のサイズを検知するサイズ検知部と、
外部装置から本請求項に係る画像形成装置に送信される画像データを受信する受信部とを備え、
前記転写電流検知部は、前記記録材が前記転写位置を通過する際に前記転写電圧印加部が一定値の転写電圧を印加したときの転写電流の値を検知し、
前記転写電流検知部によって検知された前記転写電流の値前記サイズ及び前記受信部が受信した画像データの印字率に基づく閾値以上であった場合、前記定着部において前記予め設定された設定温度より低い設定温度に設定して、該記録材に転写されたトナー像を該記録材に定着することを特徴とする画像形成装置。
【請求項２３】
像担持体に形成されたトナー像を転写位置にて記録材に転写する転写部と、
前記転写部に転写電圧を印加する転写電圧印加部と、
前記転写部に流れる転写電流を検知する転写電流検知部と、
記録材に転写された前記トナー像を予め設定された設定温度で定着位置にて加熱することにより該記録材に定着させる定着部と、
記録材のサイズを検知するサイズ検知部と、
外部装置から本請求項に係る画像形成装置に送信される画像データを受信する受信部とを備え、
前記転写電流検知部は、前記記録材が前記転写位置を通過する際に前記転写電圧印加部が一定値の転写電圧を印加したときの転写電流の値を検知し、
前記転写電流検知部によって検知された前記転写電流の値が前記サイズ及び前記受信部が受信した画像データの印字率に基づく閾値以下であった場合、前記定着部において前記予め設定された設定温度より高い設定温度に設定して、該記録材に転写されたトナー像を該記録材に定着することを特徴とする画像形成装置。
【手続補正２】
【補正対象書類名】明細書
【補正対象項目名】００１２
【補正方法】変更
【補正の内容】
【００１２】
このような目的を達成するために本発明が提供する画像形成装置は、像担持体に形成されたトナー像を転写位置にて記録材に転写する転写部と、前記転写部に転写電圧を印加する転写電圧印加部と、前記転写部に流れる転写電流を検知する転写電流検知部と、記録材に転写された前記トナー像を予め設定された設定温度で定着位置にて加熱することにより該記録材に定着させる定着部と、記録材のサイズを検知するサイズ検知部と、記録材が前記転写位置を通過する際に、前記転写電流検知部が検知する前記転写電流が一定電流となるように、前記転写電圧の値を制御する転写電圧制御部とを備え、前記転写電圧の値が閾値以下であり、かつ、記録材のサイズが予め設定されたサイズ以上である場合、前記定着部において前記予め設定された設定温度より低い設定温度に設定して、記録材に転写された前記トナー像を該記録材に定着することを特徴とする。
【手続補正３】
【補正対象書類名】明細書
【補正対象項目名】００１３
【補正方法】変更
【補正の内容】
【００１３】
本発明が提供する別の画像形成装置は、像担持体に形成されたトナー像を転写位置にて記録材に転写する転写部と、前記転写部に転写電圧を印加する転写電圧印加部と、前記転写部に流れる転写電流を検知する転写電流検知部と、記録材に転写された前記トナー像を予め設定された設定温度で定着位置にて加熱することにより該記録材に定着させる定着部と、記録材のサイズを検知するサイズ検知部と、外部装置から本請求項に係る画像形成装置に送信される画像データを受信する受信部と、録材が前記転写位置を通過する際に、前記転写電流検知部が検知する前記転写電流が一定電流となるように、前記転写電圧の値を制御する転写電圧制御部とを備え、前記転写電圧の値が前記サイズ検知部で検知した記録材のサイズ及び前記受信部で受信した画像データの印字率に基づく閾値以下であった場合、前記定着部において前記予め設定された設定温度より低い設定温度に設定して、記録材に転写された前記トナー像を該記録材に定着することを特徴とする。
【手続補正４】
【補正対象書類名】明細書
【補正対象項目名】００１４
【補正方法】変更
【補正の内容】
【００１４】
本発明が提供する別の画像形成装置は、像担持体に形成されたトナー像を転写位置にて記録材に転写する転写部と、前記転写部に転写電圧を印加する転写電圧印加部と、前記転写部に流れる転写電流を検知する転写電流検知部と、記録材に転写された前記トナー像を予め設定された設定温度で定着位置にて加熱することにより該記録材に定着させる定着部と、記録材のサイズを検知するサイズ検知部と、外部装置から本請求項に係る画像形成装置に送信される画像データを受信する受信部と、記録材が前記転写位置を通過する際に、前記転写電流検知部が検知する前記転写電流が一定電流となるように、前記転写電圧の値を制御する転写電圧制御部とを備え、前記転写電圧の値が前記サイズ検知部で検知した記録材のサイズ及び前記受信部で受信した画像データの印字率に基づく閾値以上であった場合、前記定着部において前記予め設定された設定温度より高い設定温度に設定して、記録材に転写されたトナー像を該記録材に定着することを特徴とする。
【手続補正５】
【補正対象書類名】明細書
【補正対象項目名】００１５
【補正方法】変更
【補正の内容】
【００１５】
本発明が提供する別の画像形成装置は、像担持体に形成されたトナー像を転写位置にて記録材に転写する転写部と、前記転写部に転写電圧を印加する転写電圧印加部と、前記転写部に流れる転写電流を検知する転写電流検知部と、記録材に転写された前記トナー像を予め設定された設定温度で定着位置にて加熱することにより該記録材に定着させる定着部と、記録材のサイズを検知するサイズ検知部とを備え、前記転写電流検知部は、前記記録材が前記転写位置を通過する際に前記転写電圧印加部が一定値の転写電圧を印加したときの転写電流の値を検知し、前記転写電流検知部によって検知された前記転写電流の値が閾値以上であり、かつ前記記録材のサイズが予め設定されたサイズ以上である場合、前記定着部において前記予め設定された設定温度より低い設定温度に設定して、該記録材に転写されたトナー像を該記録材に定着することを特徴とする。
【手続補正６】
【補正対象書類名】明細書
【補正対象項目名】００１６
【補正方法】変更
【補正の内容】
【００１６】
本発明が提供する別の画像形成装置は、像担持体に形成されたトナー像を転写位置にて記録材に転写する転写部と、前記転写部に転写電圧を印加する転写電圧印加部と、前記転写部に流れる転写電流を検知する転写電流検知部と、記録材に転写された前記トナー像を予め設定された設定温度で定着位置にて加熱することにより該記録材に定着させる定着部と、記録材のサイズを検知するサイズ検知部と、外部装置から本請求項に係る画像形成装置に送信される画像データを受信する受信部とを備え、前記転写電流検知部は、前記記録材が前記転写位置を通過する際に前記転写電圧印加部が一定値の転写電圧を印加したときの転写電流の値を検知し、前記転写電流検知部によって検知された前記転写電流の値前記サイズ及び前記受信部が受信した画像データの印字率に基づく閾値以上であった場合、前記定着部において前記予め設定された設定温度より低い設定温度に設定して、該記録材に転写されたトナー像を該記録材に定着することを特徴とする。
【手続補正７】
【補正対象書類名】明細書
【補正対象項目名】００１７
【補正方法】変更
【補正の内容】
【００１７】
本発明が提供する別の画像形成装置は、像担持体に形成されたトナー像を転写位置にて記録材に転写する転写部と、前記転写部に転写電圧を印加する転写電圧印加部と、前記転写部に流れる転写電流を検知する転写電流検知部と、記録材に転写された前記トナー像を予め設定された設定温度で定着位置にて加熱することにより該記録材に定着させる定着部と、記録材のサイズを検知するサイズ検知部と、外部装置から本請求項に係る画像形成装置に送信される画像データを受信する受信部とを備え、前記転写電流検知部は、前記記録材が前記転写位置を通過する際に前記転写電圧印加部が一定値の転写電圧を印加したときの転写電流の値を検知し、前記転写電流検知部によって検知された前記転写電流の値が前記サイズ及び前記受信部が受信した画像データの印字率に基づく閾値以下であった場合、前記定着部において前記予め設定された設定温度より高い設定温度に設定して、該記録材に転写されたトナー像を該記録材に定着することを特徴とする。
【手続補正８】
【補正対象書類名】明細書
【補正対象項目名】００１８
【補正方法】削除
【補正の内容】
【手続補正９】
【補正対象書類名】明細書
【補正対象項目名】００１９
【補正方法】削除
【補正の内容】
【手続補正１０】
【補正対象書類名】明細書
【補正対象項目名】００２０
【補正方法】削除
【補正の内容】
【手続補正１１】
【補正対象書類名】明細書
【補正対象項目名】００２１
【補正方法】削除
【補正の内容】
【手続補正１２】
【補正対象書類名】明細書
【補正対象項目名】００２２
【補正方法】削除
【補正の内容】
【手続補正１３】
【補正対象書類名】明細書
【補正対象項目名】００２３
【補正方法】削除
【補正の内容】
【手続補正１４】
【補正対象書類名】明細書
【補正対象項目名】００２４
【補正方法】削除
【補正の内容】
【手続補正１５】
【補正対象書類名】明細書
【補正対象項目名】００２５
【補正方法】削除
【補正の内容】
【手続補正１６】
【補正対象書類名】明細書
【補正対象項目名】００２６
【補正方法】削除
【補正の内容】
【手続補正１７】
【補正対象書類名】明細書
【補正対象項目名】００２７
【補正方法】削除
【補正の内容】
【手続補正１８】
【補正対象書類名】明細書
【補正対象項目名】００２８
【補正方法】削除
【補正の内容】
【手続補正１９】
【補正対象書類名】明細書
【補正対象項目名】００２９
【補正方法】削除
【補正の内容】
【手続補正２０】
【補正対象書類名】明細書
【補正対象項目名】００３０
【補正方法】削除
【補正の内容】
【手続補正２１】
【補正対象書類名】明細書
【補正対象項目名】００３１
【補正方法】削除
【補正の内容】
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】削除
【補正の内容】
【手続補正２４】
【補正対象書類名】明細書
【補正対象項目名】００３４
【補正方法】削除
【補正の内容】